(57)【要約】【課題】画像形成装置の近くにいて動作音の影響を最も受ける人が、容易に画像形成装置の動作音を下げられるようにする。【解決手段】画像形成装置は、ジョブ実行部と、音を電気信号に変換するマイクと、マイクからの電気信号に基づき音声を認識する音声認識部と、キーワードを記憶する記憶部と、ジョブ実行部を制御する制御部と、を含む。制御部は、通常速度でジョブ実行部にジョブを開始させ、ジョブの実行中、音声認識部が、キーワードに対応する音声を認識したとき、通常速度から通常速度よりも遅い静音速度でジョブ実行部にジョブを行わせる。【選択図】図７
2017065090.tif 000002
【特許請求の範囲】
【請求項１】
ジョブを実行するジョブ実行部と、
使用者による設定を受け付ける操作パネルと、
音を電気信号に変換するマイクと、
前記マイクからの電気信号に基づき、音声を認識する音声認識部と、
キーワードを記憶する記憶部と、
前記ジョブ実行部を制御する制御部と、を含み、
前記制御部は、通常速度で前記ジョブ実行部にジョブを開始させ、ジョブの実行中、前記音声認識部が、前記キーワードに対応する音声を認識したとき、前記通常速度から前記通常速度よりも遅い静音速度にジョブ実行速度を前記ジョブ実行部に切り替えさせ、前記静音速度で前記ジョブ実行部にジョブを行わせることを特徴とする画像形成装置。
【請求項２】
振動を検知するための振動検知部を含み、
前記制御部は、前記通常速度で前記ジョブ実行部にジョブを開始させ、ジョブの実行中、前記振動検知部の出力に基づき、画像形成装置に加えられた振動がジョブ実行速度を切り替えるための使用者の切替操作によって加えられた振動であるか否かを判定し、前記切替操作による振動が加えられたと認識したとき、前記通常速度から前記静音速度にジョブ実行速度を前記ジョブ実行部に切り替えさせ、前記静音速度で前記ジョブ実行部にジョブを行わせることを特徴とする請求項１に記載の画像形成装置。
【請求項３】
前記制御部は、前記振動検知部の出力に基づき振動の大きさを認識し、ジョブ実行時に画像形成装置で生ずる振動よりも大きい振動を前記切替操作によって加えられた振動と認識することを特徴とする請求項２に記載の画像形成装置。
【請求項４】
前記振動検知部は、前記操作パネル以外の位置に設けられることを特徴とする請求項２又は３に記載の画像形成装置。
【請求項５】
前記操作パネルが前記静音速度から前記通常速度にジョブ実行速度を戻す設定を受け付けたとき、
前記制御部は、前記静音速度から前記通常速度にジョブ実行速度を前記ジョブ実行部に切り替えさせ、前記通常速度で前記ジョブ実行部にジョブを行わせることを特徴とする請求項１乃至４の何れか１項に記載の画像形成装置。
【請求項６】
前記操作パネルは、前記キーワードの設定を受け付け、
前記制御部は、ジョブの実行中、前記音声認識部が、前記操作パネルで設定された前記キーワードに対応する音声を認識したとき、前記通常速度から前記静音速度にジョブ実行速度を前記ジョブ実行部に切り替えさせることを特徴とする請求項１乃至５の何れか１項に記載の画像形成装置。
【発明の詳細な説明】
【技術分野】
【０００１】
本発明は、ジョブの実行速度を変えられる画像形成装置に関する。
【背景技術】
【０００２】
複合機、プリンター、複写機のような画像形成装置では、印刷に伴って音が生ずる。画像形成装置の動作音があまりに大きいと、その音は、使用者に騒音と認識され、不快感を与える。そこで、複数種の用紙搬送速度で印刷を行える画像形成装置が特許文献１に記載されている。画像形成装置からの発生音を抑えたい場合、用紙搬送速度を遅くして印刷を行うことになる。
【０００３】
具体的に、特許文献１には、記録動作を通常よりも静かに行う静音モードを有し、切り替え手段（静音モードのスイッチ２５）で静音モードが選択されると、異なる搬送速度のなかで通常時より遅い搬送速度を選択して記録を行う画像形成装置が記載されている。（特許文献１：手続補正書の請求項３、段落［００３８］等参照）。
【先行技術文献】
【特許文献】
【０００４】
【特許文献１】特開２００４−１６７７９８号公報
【発明の概要】
【発明が解決しようとする課題】
【０００５】
一般に、ジョブ実行速度が速い画像形成装置ほど、動作時の発生音（動作音）は大きくなる傾向がある。画像形成装置から離れるほど音波の振幅の減衰量は大きくなるので、画像形成装置に近いほど耳に入る画像形成装置の動作音は大きくなる。従って、画像形成装置に近い座席の人や、画像形成装置に近い位置で作業している人の方が、画像形成装置の動作音をうるさく感じやすい。
【０００６】
特許文献１記載の技術では、切り替え手段（操作部のユーザーモード用のボタン２４や静音モードのスイッチ２５）で静音モードを選択する。この選択は、操作パネルを操作するジョブの実行者が行うことになる。しかし、座席が画像形成装置から離れており、動作音を普段気にしていないジョブの実行者は静音モードを選択せず、通常の速度でジョブを実行してしまう場合が多い。
【０００７】
また、画像形成装置に近い座席の人のような静音モードに動作させたい人が代わりに静音モードを選択することも考えられる。しかし、静音モードで動作させたい人は、自分が画像形成装置を用いないのに、画像形成装置の設置場所まで行き、静音モードの設定をしなくてはならない。また、静音モードの解除（ＯＦＦ）ごとに、画像形成装置の設置場所まで行き、静音モードを再設定しなくてはならない。画像形成装置を静音モードとするのに操作パネルでの操作が必要であると、煩わしい。
【０００８】
また、電話中や細かな作業中のように、静音モードへの切り替えのために、画像形成装置の設置場所まで行くことができない場合もあり得る。更に、近年の画像形成装置の多機能化によって、操作パネルでの設定手法が複雑な場合があり、何度もキーの操作や画面切り替えを繰り返さなければ静音モードの設定をできない場合もある。
【０００９】
特許文献１記載の画像形成装置のように、画像形成装置に静音モードが搭載されていても、操作パネルで静音モードへの移行を設定しなくてはならない場合、動作音をうるさく感じている人は、容易に静音モードに切り替えできず、また、煩わしく、静音モードの選択が複雑である場合があるという問題がある。
【００１０】
本発明は、上記の問題点に鑑み、画像形成装置の近くにいて動作音の影響を最も受ける人が、容易に画像形成装置の動作音を下げられるようにする。
【課題を解決するための手段】
【００１１】
本発明に係る画像形成装置は、ジョブ実行部、操作パネル、マイク、音声認識部、記憶部、制御部を含む。前記ジョブ実行部は、ジョブを実行する。前記操作パネルは、使用者による設定を受け付ける。前記マイクは、音を電気信号に変換する。前記音声認識部は、前記マイクからの電気信号に基づき、音声を認識する。前記記憶部は、キーワードを記憶する。前記制御部は、前記ジョブ実行部を制御する。そして、前記制御部は、通常速度で前記ジョブ実行部にジョブを開始させ、ジョブの実行中、前記音声認識部が、前記キーワードに対応する音声を認識したとき、前記通常速度から前記通常速度よりも遅い静音速度にジョブ実行速度を前記ジョブ実行部に切り替えさせ、前記静音速度で前記ジョブ実行部にジョブを行わせる。
【発明の効果】
【００１２】
本発明の画像形成装置によれば、画像形成装置の近くにいて、動作音の影響を最も受ける人が、容易に、ジョブ実行中の画像形成装置の動作音を下げることができる。従って、画像形成装置の動作音の影響を大きく受ける人のことも考慮し、多くの人に快適な画像形成装置を提供することができる。
【図面の簡単な説明】
【００１３】
【図１】実施形態に係る複合機の一例を示す図である。
【図２】実施形態に係る複合機での読取速度を説明するための図である。
【図３】実施形態に係る複合機での音声認識を説明するための図である。
【図４】実施形態に係る複合機での振動検知を説明するための図である。
【図５】実施形態に係る複合機でのジョブ実行速度切り替えに関する設定画面の一例を示す図である。
【図６】実施形態に係る複合機でのスキャナ部の動作の流れの一例を示すフローチャートである。
【図７】実施形態に係る複合機での印刷部の動作の流れの一例を示すフローチャートである。
【発明を実施するための形態】
【００１４】
以下、図１〜図７を用い、複合機１００（画像形成装置に相当）を例に挙げ、本発明の実施形態を説明する。本実施の形態に記載されている構成、配置等の各要素は、発明の範囲を限定せず、単なる説明例にすぎない。
【００１５】
（複合機１００）
次に、図１を用いて、実施形態に係る複合機１００を説明する。図１は、実施形態に係る複合機１００の一例を示す図である。
【００１６】
原稿を読み取った画像データに基づき印刷を行うコピージョブや、原稿を読み取って得られたデータを送信する送信ジョブや、コンピューター２００やＦＡＸ装置３００から受信した印刷用データに基づき印刷を行うプリントジョブのようなジョブを複合機１００に行わせることができる。言い換えると、複合機１００は、コピー機能、送信機能、プリント機能のような複数の機能を有する。
【００１７】
図１に示すように、複合機１００の動作制御を行う部分として、制御部１が設けられる。また、複合機１００は、使用者による設定を受け付ける操作パネル２を含む。また、複合機１００は、原稿の読み取りジョブを実行するジョブ実行部として、スキャナ部３（原稿搬送部４、画像読取部５）を含む。また、複合機１００は、印刷ジョブを実行するジョブ実行部として、印刷部６（ジョブ実行部に相当）を含む。
【００１８】
制御部１は、複合機１００の全体制御を司る。制御部１は、ＣＰＵ１１を含む。又、制御部１には、印刷や送信に用いる画像データの画像処理を行う画像処理部１２が設けられる。又、複合機１００には、ＲＯＭ、ＨＤＤやフラッシュＲＯＭのような不揮発性メモリー８２とＲＡＭのような揮発性のメモリー８２を含む記憶部７が設けられる。記憶部７は、制御に関するプログラムやデータを記憶する。制御部１は、記憶部７のプログラムやデータを利用して各部を制御する。制御部１は、スキャンや印刷や送信や画像データの記憶のような各種ジョブを行わせる。
【００１９】
各機能の設定のため、操作パネル２が設けられる。操作パネル２は表示パネル２１を含む。表示パネル２１は、機能（ジョブの種類）の選択画面や、各種機能に関して設けられた設定項目の選択画面や、設定値設定用のソフトキーを表示する。また、表示パネル２１に対し、タッチパネル部２２が設けられる。タッチパネル部２２は、操作されたソフトキーを検知するためのものである。タッチパネル部２２の出力に基づき、使用者の操作が受け付けられる。また、操作パネル２は、数字入力用のテンキーやジョブの実行開始指示用のスタートキーのようなハードキー２３も含む。制御部１は、操作パネル２と通信し設定内容を認識する。
【００２０】
スキャナ部３は、原稿搬送部４と画像読取部５を含む。原稿搬送部４は、セットされた原稿を読み取り位置に向けて搬送する。画像読取部５は、搬送される原稿や、原稿台（コンタクトガラス）にセットされた原稿を読み取り、画像データを生成する。制御部１は、原稿搬送部４と画像読取部５の動作を制御する。
【００２１】
印刷部６は、給紙部６ａ、搬送部６ｂ、画像形成部６ｃ、定着部６ｄを含む。給紙部６ａは、用紙を供給する。搬送部６ｂは、用紙を搬送し、印刷済み用紙を機外に排出する。画像形成部６ｃは、画像データに基づきトナー像を形成し、搬送される用紙にトナー像を転写する。定着部６ｄは、転写されたトナー像を用紙に定着させる。また、印刷部６には、制御部１の指示に基づき、給紙部６ａ、搬送部６ｂ、画像形成部６ｃ、定着部６ｄの動作を制御するエンジン制御部６０が設けられる。制御部１はエンジン制御部６０に指示を与え、印刷部６の動作を制御する。
【００２２】
又、複合機１００は、通信部１３を含む。通信部１３は、ＰＣやサーバーのようなコンピューター２００やＦＡＸ装置３００と、ネットワークやケーブルや公衆回線を介して通信可能に接続される。通信部１３は、原稿読み取りに基づく画像データをコンピューター２００やＦＡＸ装置３００に送信できる（送信機能）。通信部１３は、ネットワークやケーブルや公衆回線を介して、また、ページ記述言語で記されたデータや画像データのような印刷内容のデータと、印刷設定が記されたデータを含む印刷用データをコンピューター２００やＦＡＸ装置３００から受信する。制御部１は、受信した印刷用データに基づき、印刷部６に印刷を行わせる（プリント機能）。
【００２３】
（通常読取モードと静音読取モード）
次に、図２を用いて、実施形態に係る複合機１００での読取速度（ジョブの実行速度）を説明する。図２は、実施形態に係る複合機１００での読取速度を説明するための図である。
【００２４】
スキャナ部３は、予め定められた通常読取速度（通常速度）で原稿の読み取りを行う通常読取モードを有する。言い換えると、通常読取モードは、仕様上、予め定められた通常のジョブ実行速度（仕様上の１分間あたりの原稿読取枚数）で原稿の読み取りを行うモードである。
【００２５】
また、スキャナ部３は、通常読取速度よりも遅い静音読取速度（静音速度）で原稿の読み取りを行う静音読取モードを有する。言い換えると、静音読取モードは、仕様上、予め定められた通常のジョブ実行速度よりも遅い速度で原稿の読み取りを行うモードである。
【００２６】
静音読取モードでは、原稿の読取速度が抑えられる。そのため、原稿の送り出し音や、原稿が搬送ガイドに衝突する音や擦れにより生ずる音が抑えられる。また、原稿を読み取り位置に向けて搬送し、読み取り位置通過後、排出する搬送用の各回転体（原稿搬送用ローラー４１、図２参照）を回転させる原稿搬送モーター４２（図２参照）から生ずる音や、原稿搬送用ローラー４１自体の回転音や、原稿搬送用ローラー４１を回転させるためのギアのような機械要素から生ずる音を抑えることができる。つまり、静音読取モードでは、通常読取モードよりもスキャナ部３から生ずる音を抑えることができる。
【００２７】
静音読取速度は、通常読取速度よりも遅い範囲で適宜定められる。本実施形態のスキャナ部３では、静音読取速度は、通常読取速度の１／２（半速）とされる（１／３や３／４や２／３や、３／５でもよい）。
【００２８】
次に、各読取モードでの速度制御を説明する。まず、原稿搬送部４に原稿がセットされているときの原稿搬送部４の制御を説明する。
【００２９】
まず、スキャナ部３の原稿搬送部４には、原稿搬送制御部４０が設けられる。原稿搬送制御部４０は、制御部１の指示に基づき、原稿搬送を制御する。原稿搬送制御部４０は、ＣＰＵやＲＯＭやＲＡＭやＩＣや素子を含む回路（基板）である。
【００３０】
コピージョブや、送信ジョブのような原稿読み取りを伴うジョブのときであって、原稿トレイ４３（図２参照）に原稿がセットされているとき、原稿搬送制御部４０は、セットされた原稿を読み取り位置に向けて１枚ずつ搬送する。尚、スキャナ部３には、原稿トレイ４３に原稿があるか否かを検知するための原稿検知センサー４４が設けられる。
【００３１】
原稿搬送制御部４０は、各原稿搬送用ローラー４１を回転させる原稿搬送モーター４２を制御する。原稿検知センサー４４の出力に基づき原稿トレイ４３に原稿が載置されていると認識している状態で、コピージョブや送信ジョブを通常読取モードで読み取りを行うとき、原稿搬送制御部４０は、原稿搬送モーター４２を所定の速度で回転させる。一方、静音読取モードで読み取りを行うとき、原稿搬送制御部４０は、通常読取モードよりも、原稿搬送モーター４２の回転速度を１／２とする。これにより、静音読取モードでは、原稿搬送速度が通常読取モードの１／２程度となる。
【００３２】
なお、原稿搬送部４（原稿トレイ４３）に原稿がセットされていないとき、原稿搬送制御部４０は、原稿搬送モーター４２を回転させない（原稿搬送動作を行わせない）。
【００３３】
次に、画像読取部５の各読取モードでの速度制御を説明する。
【００３４】
スキャナ部３の画像読取部５には、読取制御部５０が設けられる。読取制御部５０は、ＣＰＵやＲＯＭやＲＡＭやＩＣや素子を含む回路（基板）である。読取制御部５０は、制御部１の指示に基づき、原稿の読み取りを制御する。
【００３５】
読取制御部５０は、原稿照射用のランプ５１や反射光をイメージセンサー５２に導くミラー（不図示）を移動させる移動モーター５３の回転速度や、回転方向を制御する。また、読取制御部５０は、ランプ５１の点消灯を制御する。読取制御部５０は、原稿を読み取るとき、ランプ５１を点灯させ、読み取りが終了するとランプ５１を消灯させる。また、読取制御部５０は、イメージセンサー５２の動作を制御する。また、読取制御部５０は、イメージセンサー５２のアナログ出力に基づき、Ａ／Ｄ変換部５４に画像データを生成させる。また、読取制御部５０は、Ａ／Ｄ変換部５４により生成された画像データに対し、読取データ処理部５５に各種補正や調整のための画像処理を行わせる。また、読取制御部５０は、画像メモリー５６に読取データ処理部５５が処理した画像データを蓄積させ、画像データを制御部１や記憶部７に向けて送信させる。
【００３６】
原稿搬送部４が原稿を搬送する場合、画像読取部５は、搬送経路の途中に設けられる搬送読取用コンタクトガラス（読み取り位置、不図示）を通過する原稿を読み取る。原稿検知センサー４４の出力に基づき原稿トレイ４３に原稿がセットされていないことを認識している状態では、画像読取部５は、載置読取用のコンタクトガラス（不図示）にセットされた原稿を読み取る。
【００３７】
読取制御部５０は、コピージョブや送信ジョブを開始するとき、移動モーター５３を動作させ、搬送読取用コンタクトガラスを通過する原稿や、載置読取用のコンタクトガラス（不図示）にセットされた原稿を読み取らせる。読取制御部５０は、静音読取モードでは、通常読取モードのときよりも、移動モーター５３の回転速度を遅くする（１／２とする）。これにより、読取制御部５０は、静音読取モードの読取速度を通常読取モードのときよりも１／２程度とする。
【００３８】
静音読取モードでの読み取りのとき、読取制御部５０は、イメージセンサー５２やＡ／Ｄ変換部５４や読取データ処理部５５や画像メモリー５６を通常読取モードのときよりも遅い速度で動作させてもよい。例えば、読取制御部５０は、動作周波数を１／２程度とする。一方、読取制御部５０は、イメージセンサー５２やＡ／Ｄ変換部５４や読取データ処理部５５や画像メモリー５６を通常読取モードと、静音読取モードとで同じ速度で動作させてもよい。この場合、静音読取モードでの原稿搬送方向（副走査方向）でのライン数は予め定められた読取解像度に比べ多くなるので、読取制御部５０は、不要なラインを読取データ処理部５５に間引き処理させる。
【００３９】
このように、静音読取モードと通常読取モードに応じた速度で読み取りが行われるように、制御部１は、原稿搬送制御部４０や読取制御部５０に指示を与え、スキャナ部３（原稿搬送部４、画像読取部５）の動作を制御する。
【００４０】
（通常印刷モードと静音印刷モード）
次に、図２を用いて、実施形態に係る複合機１００の印刷速度（ジョブの実行速度）を説明する。
【００４１】
印刷部６は、予め定められた通常印刷速度（通常速度）で用紙への印刷を行う通常印刷モードを有する。言い換えると、通常印刷モードは、仕様上、予め定められた通常のジョブ実行速度（仕様上の１分間あたりの印刷枚数）で用紙への印刷を行うモードである。
【００４２】
また、印刷部６は、通常印刷速度よりも遅い静音印刷速度（静音速度）で用紙への印刷を行う静音印刷モードを有する。言い換えると、静音印刷モードは、仕様上、予め定められた通常のジョブ実行速度（仕様上の１分間あたりの印刷枚数）よりも遅い速度で用紙への印刷を行うモードである。
【００４３】
静音印刷モードでは、印刷速度（ジョブ実行速度）が抑えられる。そのため、用紙の送り出し音（給紙音）や、用紙が搬送ガイドに衝突する音や擦れにより生ずる音や、給紙や用紙搬送を行い、機外に排出する各用紙搬送用ローラー６１（図２参照）を回転させるための印刷用モーター６２（図２参照）の回転音や、各用紙搬送用ローラー６１自体の回転音や、ギアのような各用紙搬送用ローラー６１を回転させるための機械要素から生ずる音の大きさを抑えることができる。言い換えると、静音印刷モードでは、通常印刷モードよりも印刷部６から生ずる音を抑えることができる。
【００４４】
静音印刷速度は、通常印刷速度よりも遅い範囲で適宜定められる。本実施形態の印刷部６では、静音印刷速度は、通常印刷速度の１／２（半速）とされる（１／３や３／４や２／３や、３／５でもよい）。
【００４５】
次に、各印刷モードでの速度制御を説明する。印刷部６には、エンジン制御部６０が設けられる。エンジン制御部６０は、制御部１の指示に基づき、ジョブ実行速度（単位時間あたりの印刷枚数）を制御する。エンジン制御部６０は、エンジンＣＰＵ６０ａやエンジンメモリー６０ｂやＩＣや素子を含む回路（基板）である。
【００４６】
エンジン制御部６０は、印刷部６内に設けられる印刷用モーター６２のＯＮ／ＯＦＦや回転速度を制御する。印刷用モーター６２は、複数設けられる。印刷用モーター６２は、各用紙搬送用ローラー６１（給紙部６ａや搬送部６ｂのローラー）、トナー像形成や転写や定着に関する処理を行う回転体（画像形成部６ｃ、定着部６ｄの回転体）のような印刷時に回転する回転体を回転させる。また、エンジン制御部６０は、画像形成部６ｃに設けられた感光体ドラム（不図示）の走査、露光を行うためのポリゴンミラー６３を回転させるポリゴンモーター６４のＯＮ／ＯＦＦや回転速度を制御する。
【００４７】
コピージョブやプリントジョブのような印刷を伴うジョブのとき、エンジン制御部６０は、印刷部６に印刷を行わせる。エンジン制御部６０は、静音印刷モードで印刷を行うとき、通常印刷モードで印刷を行うときよりも、印刷用モーター６２の回転速度を遅くする（１／２とする）。これにより、エンジン制御部６０は、静音印刷モードでの印刷ジョブの実行速度を、通常印刷モードのときの１／２程度とする。
【００４８】
また、エンジン制御部６０は、静音モードで感光体ドラムの走査、露光を行うとき、ポリゴンモーター６４の回転速度を通常モードのときの１／２としてもよい。あるいは、エンジン制御部６０は、静音モードでは、ポリゴンモーター６４の回転速度を同じとしつつ、減速率にあわせて、数ラインに１ラインの割合で、感光体ドラムの走査、露光を行うようにしてもよい（例えば、２ライン中、１ラインのみ画像データにあわせて露光する）。
【００４９】
このように、制御部１は、エンジン制御部６０に指示を与え、静音印刷モードと通常印刷モードに応じた速度で印刷が行われるように印刷部６の動作を制御する。
【００５０】
（音声認識と振動検知に基づくジョブ実行速度の切り替え）
次に、図３〜図５を用いて、実施形態に係る複合機１００での音声認識と振動検知に基づくジョブ実行速度の切り替えを説明する。図３は、実施形態に係る複合機１００での音声認識を説明するための図である。図４は、実施形態に係る複合機１００での振動検知を説明するための図である。図５は、実施形態に係る複合機１００でのジョブ実行速度切り替えに関する設定画面の一例を示す図である。
【００５１】
実施形態に係る複合機１００は、音声認識部８を含む（図１、図３参照）と振動検知部９を含む（図１、図４参照）。制御部１は、通常速度でジョブ実行部（スキャナ部３、印刷部６）にジョブを開始させる（最初は、通常速度）。
【００５２】
そして、ジョブ実行中、音声認識部８が特定の音声パターン（キーワード７１）を認識したときや、振動検知部９が使用者の操作に起因する振動を検知したとき、制御部１は、通常速度（通常読取速度、通常印刷速度）から静音速度（静音読取速度、静音印刷速度）にジョブ実行速度を切り替えさせる。
【００５３】
そこで、まず、図３を用いて実施形態に係る複合機１００での音声認識を説明する。まず、複合機１００には、音声を集めるためのマイク８０（集音マイク）が取り付けられる（図１、図３参照）。マイク８０は、音を電気信号に変換する。
【００５４】
音声認識部８は、マイク８０からの電気信号に基づき、音声を認識する。音声の認識のため、音声認識部８は、認識処理回路８１、メモリー８２を含む。メモリー８２は、音声認識用の認識プログラムＰ１と認識用データＤ１を記憶する。認識用データＤ１は、各音の波形のサンプルのような音声認識用のデータである。認識処理回路８１は、認識プログラムＰ１と認識用データＤ１に基づき、音素を識別し、音素の並びに基づき、音声を認識する。音声認識部８（認識処理回路８１）は、音声の認識結果を、制御部１に伝える。なお、記憶部７に認識プログラムＰ１と認識用データＤ１を記憶させ、制御部１のＣＰＵ１１が音声認識処理を行ってもよい。
【００５５】
制御部１は、通常速度でジョブ実行部にジョブを開始させ、ジョブの実行中、音声認識部８が、記憶部７に記憶されたキーワード７１に対応する音声を認識したとき、通常速度から静音速度にジョブ実行速度をジョブ実行部に切り替えさせ、静音速度でジョブ実行部にジョブを行わせる。
【００５６】
次に、図４を用いて振動検知部９を説明する。振動検知部９は、振動を検知するためのセンサー（振動センサー）である。静電容量方式や圧電素子方式のような各方式の振動センサーを用いることができる。振動検知部９は、振動が加えられると出力電圧値が変化するとともに、振動が大きいほど出力電圧値が大きくなる（又は、小さくなる）センサーである。
【００５７】
タッチパネル部２２やハードキー２３へーの操作により振動が生ずるので、使用者の設定、操作によって操作パネル２は揺れる。そこで、操作パネル２には、振動検知部９は設けられない。言い換えると、振動検知部９は、操作パネル２以外の位置に設けられる。具体的に、実施形態に係る複合機１００では、振動検知部９は、複合機１００の本体の筐体１００ａの側面に設けられる。
【００５８】
振動検知部９の出力電圧は、制御部１に入力される。制御部１は、ジョブの実行中、振動検知部９の出力に基づき、画像形成装置に加えられた振動がジョブ実行速度を切り替えるための使用者の切替操作によって加えられた振動であるか否かを判定する。制御部１は、振動検知部９の出力に基づき、振動の大きさを認識する。そして、制御部１は、振動検知部９の出力電圧と記憶部７に記憶される閾値Ｖ１を比較し、切替操作による振動か否かを判定する。閾値Ｖ１は、通常速度でジョブを実行したときに画像形成装置で生ずる振動よりも大きい振動に対応する振動検知部９の出力電圧値とされる。そして、制御部１は、切替操作による振動が加えられたと認識したとき、通常速度から静音速度にジョブ実行速度をジョブ実行部に切り替えさせ、静音速度でジョブ実行部にジョブを行わせる。
【００５９】
これにより、電話中のような手を離せない状況であっても、振動検知部９の周辺を軽く叩いたり（タップしたり）、振動検知部９近傍を指ではじくような操作を行うだけで、複合機１００に動作音を下げさせることができる。
【００６０】
次に、図５を用いて、ジョブ実行速度の切り替えに関する設定を説明する。図５に示す速度切り替え設定画面Ｓ１は、操作パネル２に所定の操作を行うことにより表示させることができる。
【００６１】
速度切り替え設定画面Ｓ１には複数のラジオボタンＲ１が配される。ラジオボタンＲ１の位置をタッチすることにより、音声認識に基づきジョブ実行速度を切り替えるか否か（図５中の「１」の項目）、振動検知に基づきジョブ実行速度を切り替えるか否か（図５中の「２」の項目）を設定することができる。これにより、音声認識及び振動検知に基づいてジョブ実行速度を切り替えるようにすることができる。また、音声認識だけに基づいてジョブ実行速度を切り替えるようにすることもできる。振動検知だけに基づいてジョブ実行速度を切り替えるようにすることもできる。図５中の「１」と「２」の項目を両方ＯＦＦに設定することにより、ジョブ実行速度を、通常速度から静音速度に一切切り替えないように設定することもできる。
【００６２】
また、速度切り替え設定画面Ｓ１では、音声認識でのキーワード７１を選択することができる（図５中の「３」の項目）。図５では、「静かに」、「静音モード」、「もしもし」というようなキーワード７１を例示している。「静かに」、「静音モード」は、複合機１００の動作音を下げるための呼びかけ用のキーワード７１の一例である。「もしもし」は、複合機１００の周囲で電話による会話が開始されたときに複合機１００の動作音を自動的に下げるためのキーワード７１である。各キーワード７１に対応するチェックボックスＣ１にチェックを入れることにより、１又は複数のキーワード７１を設定することができる。設定されたキーワード７１は、記憶部７に記憶される（図１参照）。このように、操作パネル２は、キーワード７１の設定を受け付ける。
【００６３】
更に、キーワード７１を自由に設定できるようにしてもよい。図５に示す「自分で設定」に対応するチェックボックスＣ１への操作によってチェックが入れられたとき、制御部１は、キーワード７１入力用（文字入力用）のソフトウェアキーボードを表示パネル２１に表示させる。そして、ソフトウェアキーボードを用いて設定されたキーワード７１も記憶部７に記憶される。このように、キーワード７１は１つでもよいし、複数でもよい。
【００６４】
（読取ジョブ実行の流れ）
次に、図６を用いて、実施形態に係る複合機１００でのスキャナ部３の動作の流れの一例を説明する。図６は、実施形態に係る複合機１００でのスキャナ部３の動作の流れの一例を示すフローチャートである。
【００６５】
図６のスタートは、スタートキーが操作され（スキャンを伴うジョブの実行開始が指示され）、原稿読み取りを伴うジョブを開始する時点である。なお、１枚の原稿読み取りでは、静音モードに移行する余地がないので、図６のフローは、複数枚の原稿読み取り（原稿搬送部４に複数枚の原稿がセットされたときの読み取り）の場合に適用される。
【００６６】
制御部１は、通常読取速度（通常速度）でジョブをスキャナ部３（ジョブ実行部）に開始させる（ステップ♯１１）。続いて、制御部１は、音声認識部８が、キーワード７１に対応する音声を認識したか否かを確認する（ステップ♯１２）。なお、図５の速度切り替え設定画面Ｓ１にて、音声認識による速度切替をＯＦＦする設定がなされているとき、ステップ♯１２はスキップされる。
【００６７】
キーワード７１に対応する音声を認識していないとき（ステップ♯１２のＮｏ）、制御部１は、切替操作によって加えられた振動を検知したか否かを確認する（ステップ♯１３）。言い換えると、制御部１は、振動検知部９を軽く叩くような切替操作がなされたか否かを確認する。なお、図５の速度切り替え設定画面Ｓ１にて、振動検知による速度切替をＯＦＦする設定がなされているとき、ステップ♯１３はスキップされる。
【００６８】
切替操作もなされていなければ（ステップ♯１３のＮｏ）、制御部１は、通常読取速度で（ステップ♯１１の状態で）ジョブをスキャナ部３に継続させる（通常速度を維持する。ステップ♯１４）。
【００６９】
ここで、読み取り中に原稿搬送速度を変えると、読み取りで得られた画像データの画質が乱れる。そのため、原稿を給紙した後、機外排出までは原稿搬送速度を変えない。そこで、制御部１は、全原稿の給紙が完了したか否かを確認する（ステップ♯１５）。原稿読み取りを伴うジョブのとき、制御部１は、原稿検知センサー４４の出力に基づき、セットされた原稿が無くなったか否かを確認して、原稿の給紙が完了したか否かを確認する。
【００７０】
全原稿の給紙が完了していないとき（ステップ♯１５のＮｏ）、静音読取速度（静音速度）に切り替える可能性が残っている。そのため、フローは、ステップ♯１２に戻る。一方、全原稿の給紙が完了しているとき（ステップ♯１５のＹｅｓ）、通常読取速度で原稿の搬送、排出がなされ、フローは終了する（エンド）。
【００７１】
一方、音声認識部８がキーワード７１に対応する音声を認識したとき（ステップ♯１２のＹｅｓ）、又は、切替操作によって加えられた振動が検知されたとき（ステップ♯１３のＹｅｓ）、制御部１は、原稿の給紙動作をいったん停止する（ステップ♯１６）。そして、制御部１は、搬送経路内の全原稿を排出させる（ステップ♯１７）。具体的に、制御部１は、原稿搬送制御部４０に原稿給紙の停止（原稿給紙制御用の原稿給紙クラッチ４５のＯＦＦ、図２参照）と、原稿搬送モーター４２の一定時間の回転継続と、その後の停止を指示する。ステップ♯１７での一定時間は、通常読取速度で最も直近に給紙した原稿の排出に必要な時間である。
【００７２】
そして、制御部１は、静音読取速度（静音速度）でジョブをスキャナ部３（ジョブ実行部）に再開、実行させる（ステップ♯１８）。制御部１は、全原稿の給紙が完了したか否かを確認する（ステップ♯１９）。全原稿の給紙が完了しているとき（セットされた原稿が無くなっているとき、ステップ♯１９のＹｅｓ）、清音読取速度で原稿の搬送、排出がなされてフローは終了する（エンド）。
【００７３】
一方、全原稿の給紙が完了していないとき（ステップ♯１９のＮｏ）、制御部１は、操作パネル２で通常読取速度（通常速度）に再び戻す指示がなされたか否かを確認する（ステップ♯１１０）。戻す指示がなされていないとき（ステップ♯１１０のＮｏ）、フローは、ステップ♯１８に戻る。
【００７４】
戻す指示がなされたとき（操作パネル２が静音速度から通常速度にジョブ実行速度を戻す設定を受け付けたとき、ステップ♯１１０のＹｅｓ）、制御部１は、静音速度（静音読取速度）から通常速度（通常読取速度）に、ジョブ実行速度をジョブ実行部（スキャナ部３）に切り替えさせ、通常速度でジョブ実行部にジョブを行わせる。
【００７５】
そこで、制御部１は、原稿の給紙動作をいったん停止する（ステップ♯１１１）。そして、制御部１は、全原稿を搬送経路から排出させる（ステップ♯１１２）。制御部１は、原稿搬送制御部４０に原稿給紙の停止（原稿給紙クラッチ４５のＯＦＦ）と、原稿搬送モーター４２の一定時間の回転継続と、その後の停止を指示する。ステップ♯１１２での一定時間は、静音読取速度で、最も直近に給紙した原稿の排出に必要な時間である。このように、給紙開始後、機外排出までは原稿の搬送速度は変えないようにする。そして、フローは、ステップ♯１１に戻る。
【００７６】
（印刷ジョブ実行の流れ）
次に、図７を用いて、実施形態に係る複合機１００での印刷部６の動作の流れの一例を説明する。図７、実施形態に係る複合機１００での印刷部６の動作の流れの一例を示すフローチャートである。
【００７７】
図７のスタートは、操作パネル２でコピージョブの実行が指示されたとき（スタートキーが操作されたとき）や、通信部１３が印刷用データを受信したときのように、印刷を伴うジョブを開始する時点である。なお、１枚の印刷では、静音モードに移行する余地がないので、図７のフローは、複数枚の印刷の場合に適用される。
【００７８】
制御部１は、通常印刷速度（通常速度）でジョブを印刷部６（ジョブ実行部）に開始させる（ステップ♯２１）。続いて、制御部１は、音声認識部８が、キーワード７１に対応する音声を認識したか否かを確認する（ステップ♯２２）。なお、図５の速度切り替え設定画面Ｓ１にて、音声認識による速度切替をＯＦＦする設定がなされているとき、ステップ♯２２はスキップされる。
【００７９】
キーワード７１に対応する音声を認識していないとき（ステップ♯２２のＮｏ）、制御部１は、切替操作によって加えられた振動を検知したか否かを確認する（ステップ♯２３）。言い換えると、制御部１は、振動検知部９を軽く叩くような切替操作がなされたか否かを確認する。なお、図５の速度切り替え設定画面Ｓ１にて、振動検知による速度切替をＯＦＦする設定がなされているとき、ステップ♯２３はスキップされる。
【００８０】
切替操作もなされていなければ（ステップ♯２３のＮｏ）、制御部１は、通常印刷速度で（ステップ♯２２の状態で）ジョブを印刷部６に継続させる（通常速度を維持する。ステップ♯２４）。
【００８１】
ここで、用紙の給紙後、機外排出までの間に用紙の搬送速度やトナー像形成速度を変えると、印刷物の画質が乱れる。印刷ジョブでも、給紙開始後、機外排出までは用紙搬送速度を変えないようにする。そこで、制御部１は、全用紙の給紙が完了したか否かを確認する（ステップ♯２５）。制御部１は、印刷枚数、部数を確認し、総印刷枚数の最後のページが給紙済か否かに基づき、用紙の給紙が完了したか否かを確認する。
【００８２】
全用紙の給紙が完了していないとき（ステップ♯２５のＮｏ）、静音印刷速度（静音速度）に切り替える可能性が残っているので、フローは、ステップ♯２２に戻る。一方、全用紙の給紙が完了しているとき、通常印刷速度で用紙の搬送、排出がなされ、フローは終了する（エンド）。
【００８３】
一方、音声認識部８がキーワード７１に対応する音声を認識したとき（ステップ♯２２のＹｅｓ）、又は、切替操作によって加えられた振動が検知されたとき（ステップ♯２３のＹｅｓ）、制御部１は、用紙の給紙動作をいったん停止する（給紙部６ａを停止させる。ステップ♯２６）。そして、制御部１は、搬送中の（搬送経路内の）全ての用紙を搬送経路から排出させる（ステップ♯２７）。制御部１は、エンジン制御部６０に、用紙給紙の停止（給紙制御用の給紙クラッチ６５のＯＦＦ、図２参照）と、印刷用モーター６２の一定時間の回転継続と、その後の停止を指示する。ステップ♯２７での一定時間は、通常印刷速度で最も直近に給紙した用紙の排出に必要な搬送時間である。
【００８４】
そして、制御部１は、静音印刷速度（静音速度）でジョブを印刷部６（ジョブ実行部）に再開、実行させる（ステップ♯２８）。そして、制御部１は、全用紙の給紙が完了したか否かを確認する（ステップ♯２９）。全用紙の給紙が完了しているとき（セットされた用紙が無くなっているとき、ステップ♯２９のＹｅｓ）、清音印刷速度で用紙や用紙が搬送、排出され、フローは終了する（エンド）。
【００８５】
一方、全用紙の給紙が完了していないとき（ステップ♯２９のＮｏ）、制御部１は、操作パネル２で通常印刷速度（通常速度）に再び戻す指示がなされたか否かを確認する（ステップ♯２１０）。戻す指示がなされていないとき（ステップ♯２１０のＮｏ）、フローは、ステップ♯２８に戻る。
【００８６】
一方、戻す指示がなされたとき（操作パネル２が静音速度から通常速度にジョブ実行速度を戻す設定を受け付けたとき、ステップ♯２１０のＹｅｓ）、制御部１は、静音速度から通常速度にジョブ実行速度をジョブ実行部（印刷部６）に切り替えさせ、通常速度でジョブ実行部にジョブを行わせる。
【００８７】
そこで、制御部１は、用紙の給紙動作をいったん停止する（ステップ♯２１１）。そして、制御部１は、搬送中の全ての用紙を搬送経路から排出させる（ステップ♯２１２）。制御部１は、エンジン制御部６０に給紙クラッチ６５のＯＦＦと、印刷用モーター６２の一定時間の回転継続と、その後の停止を指示する。ステップ♯２１２での一定時間は、静音印刷速度で、最も直近に給紙した用紙の排出に必要な時間である。このように、給紙開始後、機外排出までは用紙の搬送速度は変えないようにする。そして、フローは、ステップ♯２１に戻る。
【００８８】
このようにして、実施形態に係る画像形成装置（複合機１００）は、ジョブを実行するジョブ実行部（スキャナ部３、印刷部６）と、使用者による設定を受け付ける操作パネル２と、音を電気信号に変換するマイク８０と、マイク８０からの電気信号に基づき、音声を認識する音声認識部８と、キーワード７１を記憶する記憶部７と、ジョブ実行部を制御する制御部１と、を含む。制御部１は、通常速度（通常読取速度、通常印刷速度）でジョブ実行部にジョブを開始させ、ジョブの実行中、音声認識部８が、キーワード７１に対応する音声を認識したとき、通常速度から通常速度よりも遅い静音速度（静音読取速度、静音印刷速度）にジョブ実行速度をジョブ実行部に切り替えさせ、静音速度でジョブ実行部にジョブを行わせる。
【００８９】
これにより、画像形成装置の動作音を下げたい人は、画像形成装置に向けてキーワード７１を言うだけで画像形成装置のジョブ実行速度を落とすことができる。従って、操作パネル２の操作に慣れていなくても、簡単に画像形成装置の動作音を下げることができる。また、ジョブ実行速度を落とすため、画像形成装置の設置場所まで移動する必要もない。
【００９０】
また、実施形態に係る画像形成装置は、振動を検知するための振動検知部９を含む。制御部１は、通常速度でジョブ実行部にジョブを開始させ、ジョブの実行中、振動検知部９の出力に基づき、画像形成装置に加えられた振動がジョブ実行速度を切り替えるための使用者の切替操作によって加えられた振動であるか否かを判定し、切替操作による振動が加えられたと認識したとき、通常速度から静音速度にジョブ実行速度をジョブ実行部に切り替えさせ、静音速度でジョブ実行部にジョブを行わせる。
【００９１】
これにより、画像形成装置の近くの人は、画像形成装置を軽く叩く（タップする）だけで、画像形成装置のジョブ実行速度を落とすことができる。従って、操作パネル２の操作に慣れていなくても、簡単に画像形成装置の動作音を下げることができる。また、ジョブ実行速度を落とすために、画像形成装置の設置場所まで移動する必要もない。
【００９２】
また、制御部１は、振動検知部９の出力に基づき振動の大きさを認識し、ジョブ実行時に画像形成装置で生ずる振動よりも大きい振動を切替操作によって加えられた振動と認識する。これにより、画像形成装置自体から生ずる振動を切替操作による振動と誤認して、必要が無いのにジョブ実行速度を静音速度に下げることを無くすことができる。
【００９３】
また、振動検知部９は、操作パネル２以外の位置に設けられる。これにより、使用者の操作パネル２への操作によって生ずる振動によって、必要が無いのにジョブ実行速度を静音速度に下げることを無くすことができる。
【００９４】
また、操作パネル２が静音速度から通常速度にジョブ実行速度を戻す設定を受け付けたとき、制御部１は、静音速度から通常速度にジョブ実行速度をジョブ実行部に切り替えさせ、通常速度でジョブ実行部にジョブを行わせる。これにより、ジョブを速く完了させたい使用者は、ジョブ実行速度を通常速度に戻すことができる。従って、ジョブの実行速度を自由にコントロールすることができる。
【００９５】
また、操作パネル２は、キーワード７１の設定を受け付ける。制御部１は、ジョブの実行中、音声認識部８が、操作パネル２で設定されたキーワード７１に対応する音声を認識したとき、通常速度から静音速度にジョブ実行速度をジョブ実行部に切り替えさせる。これにより、各使用者は、キーワード７１を自由に定めることができる。また、画像形成装置の設置環境でよく用いられる言葉をキーワード７１から外す設定を行うことができ、必要が無いのにジョブ実行速度を静音速度に落とさないようにすることができる。
【００９６】
また、ジョブ実行速度を静音速度（静音読取速度、静音印刷速度）から通常速度（通常読取速度、通常印刷速度）に切り替えるための復帰用キーワードを記憶部７に記憶させてもよい。そして、制御部１は、静音速度（静音読取速度、静音印刷速度）でジョブ実行部（スキャナ部３、印刷部６）にジョブを実行させている間、音声認識部８が復帰用キーワードに対応する音声を認識したとき、静音速度から通常速度へとジョブ実行速度をジョブ実行部に切り替えさせ、通常速度でジョブ実行部にジョブを行わせるようにしてもよい。つまり、通常速度と静音速度の切り替えの方向（通→静、静→通）によって、別々のキーワードを設定できるようにしてもよい。
【００９７】
また、制御部１は、音声と振動で通常速度と静音速度の切り替えの方向（通→静、静→通）を使い分けても良い。例えば、通常速度でのジョブの実行中、音声認識部８がキーワード７１に対応する音声を認識したとき、制御部１は、通常速度から静音速度にジョブ実行速度をジョブ実行部（スキャナ部３、印刷部６）に切り替えさせ、静音速度でジョブ実行部にジョブを行わせるようにしてもよい。また、制御部１は、静音速度でのジョブの実行中、振動検知部９の出力に基づき、画像形成装置に加えられた振動が使用者の切替操作によって加えられた振動であると認識したとき、静音速度から通常速度にジョブ実行速度をジョブ実行部に切り替えさせ、通常速度でジョブ実行部にジョブを行わせるようにしてもよい。つまり、通常速度から静音速度への切替のトリガを音声（キーワード７１）とし、静音速度から通常速度への切替のトリガを切替操作（振動）としてもよい。
【００９８】
反対に、静音速度でのジョブの実行中、音声認識部８がキーワード７１又は復帰用キーワードに対応する音声を認識したとき、制御部１は、静音速度から通常速度にジョブ実行速度をジョブ実行部（スキャナ部３、印刷部６）に切り替えさせ、通常速度でジョブ実行部にジョブを行わせるようにしてもよい。また、制御部１は、通常速度でのジョブの実行中、振動検知部９の出力に基づき、画像形成装置に加えられた振動が使用者の切替操作によって加えられた振動であると認識したとき、通常速度から静音速度にジョブ実行速度をジョブ実行部に切り替えさせ、静音速度でジョブ実行部にジョブを行わせるようにしてもよい。つまり、静音速度から通常速度への切替のトリガを音声（キーワード７１又は復帰用キーワード）とし、通常速度から静音速度への切替のトリガを切替操作（振動）としてもよい。
【００９９】
本発明の実施形態を説明したが、本発明の範囲はこれに限定されるものではなく、発明の主旨を逸脱しない範囲で種々の変更を加えて実施することができる。
【産業上の利用可能性】
【０１００】
本発明は、印刷部や原稿読み取りを行うスキャナ部を含む画像形成装置に利用可能である。
【符号の説明】
【０１０１】
１００  複合機（画像形成装置）          １      制御部
２      操作パネル                      ３      スキャナ部（ジョブ実行部）
６      印刷部（ジョブ実行部）          ８      音声認識部
８０    マイク                          ７      記憶部
９      振動検知部
【図１】
2017065090.tif 000003
【図２】
2017065090.tif 000004
【図３】
2017065090.tif 000005
【図４】
2017065090.tif 000006
【図５】
2017065090.tif 000007
【図６】
2017065090.tif 000008
【図７】
2017065090.tif 000009